(57)【要約】【課題】テレビジョン受像機において、安価な構成で、ユーザがＴＶ番組内で紹介された商品の購入申込を行う手間を軽減させる。【解決手段】テレビジョン受像機は、購入ボタンを有するリモコンによって操作され、インターネットに接続され、ＴＶ番組を表示するディスプレイと、メモリと、制御用マイコンとを備える。メモリには、ユーザの氏名、住所及び商品の支払い方法等の情報が記憶されている。ユーザによってリモコンの購入ボタンが押下されると（Ｓ１）、制御用マイコンは、ＴＶ番組の映像を静止画として取込み（Ｓ２）、静止画に含まれる文字情報を認識し（Ｓ３）、認識した文字情報を基にインターネット上からウェブサイトを検索する（Ｓ６、Ｓ７）。そして、制御用マイコンは、ウェブサイトを解析し（Ｓ９）、商品の購入申込ページを検出し（Ｓ１０）、メモリに記憶されているユーザの情報を用いて商品の購入申込手続きを行う（Ｓ１４）。【選択図】図４
2008271196.tif 000002
【特許請求の範囲】
【請求項１】
テレビジョン番組（以下、ＴＶ番組という）のテレビジョン放送信号（以下、ＴＶ放送信号という）を受信するチューナと、
前記チューナによって受信したＴＶ放送信号に含まれる映像信号に基づいたＴＶ番組の映像を表示する表示手段と、
ユーザによって操作され、装置に指示を行うための操作手段と、
インターネットに接続するためのネットワークインタフェースと、
装置各部を制御する制御手段と、
前記制御手段を動作させるためのプログラムを記憶するための記憶手段とを備え、前記ネットワークインタフェースを介してインターネットに接続されたテレビジョン受像機において、
ＴＶ番組のある時点における映像を静止画として取得する静止画取得手段と、
前記静止画取得手段によって取得された静止画に含まれる文字情報を認識する文字情報認識手段と、
前記文字情報認識手段によって認識された文字情報を含むウェブサイトをインターネット上から検索するウェブサイト検索手段と、
前記ウェブサイト検索手段によって検索されたウェブサイトの情報を解析して、商品の購入申込を行うことができる購入申込ページを検出する購入申込ページ検出手段とをさらに備え、
前記操作手段は、ＴＶ番組内で紹介されている商品を購入する旨の指示を装置に対して行うための購入ボタンを有し、
前記記憶手段には、ユーザの氏名、住所、及び購入する商品の支払い方法のうちの少なくとも１つの情報が記憶され、
前記制御手段は、
ＴＶ番組を受信中に、ユーザによって前記購入ボタンが押下されたとき、
前記静止画取得手段を用いて、該購入ボタンが押下された時点のＴＶ番組の映像を静止画として取得し、前記文字情報認識手段を用いて、この静止画に含まれる文字情報を認識し、前記ウェブサイト検索手段を用いて、認識された文字情報を含むウェブサイトをインターネット上から検索し、前記購入申込ページ検出手段を用いて、検索されたウェブサイトの情報を解析し、ＴＶ番組の映像に含まれる商品の購入申込を行うことができる購入申込ページを検出し、この検出の結果、上記商品の購入申込を行うことが可能な購入申込ページが検出されたとき、前記記憶手段に記憶された氏名、住所、及び購入する商品の支払い方法のうちの少なくとも１つの情報を用いて、購入申込手続きを行うことを特徴とするテレビジョン受像機。
【請求項２】
前記ウェブサイト検索手段は、前記文字情報認識手段によって認識された文字情報にＵＲＬ（Ｕｎｉｆｏｒｍ  Ｒｅｓｏｕｒｃｅ  Ｌｏｃａｔｏｒ）が含まれているとき、このＵＲＬに対応するウェブサイトをインターネット上から検索することを特徴とする請求項１に記載のテレビジョン受像機。
【請求項３】
前記制御手段は、前記購入申込ページ検出手段を用いて、ウェブサイトの情報を解析して、前記購入申込ページを検出した結果、前記購入申込ページを検出できないとき、前記記憶手段に、前記文字情報認識手段によって認識された文字情報を記憶させることを特徴とする請求項２に記載のテレビジョン受像機。
【発明の詳細な説明】
【技術分野】
【０００１】
本発明は、インターネットに接続されたテレビジョン受像機に関し、特に商品の購入申込の手間を軽減させる技術に関する。
【背景技術】
【０００２】
近年、インターネットに接続可能なテレビジョン受像機（以下、テレビ）が普及している。ユーザがテレビジョン番組（以下、ＴＶ番組という）を視聴中に、ＴＶ番組内で紹介された、タレントや俳優が身に付けている被服等の商品を購入しようとするとき、この種のテレビは、ＴＶ番組内に表示されている商品の販売店舗のウェブサイトをディスプレイに表示する（例えば、特許文献１乃至３参照）。そして、ユーザが手動でウェブサイトの購入申込ページから商品の購入申込を行う。
【０００３】
上記テレビは、商品に関するウェブサイトをディスプレイに表示するだけであり、商品の購入申込を行わない。そのため、ユーザが商品の購入申込を行わなければならず、ユーザにとって商品の購入申込の手間がかかるという問題がある。
【０００４】
これに対して、特許文献４には、多数の静止画の連続表示によって構成されるＴＶ番組内において、静止画内における商品が表示されている座標位置に対して、商品の識別データを付与し、ユーザがＴＶ番組内の商品を選択したとき、付与されている識別データを用いて、インターネット上から商品を容易に購入申込できるテレビが開示されている。しかし、このテレビでは、ＴＶ番組内の静止画内における全ての商品に対して、識別データを付与しなければならず、膨大なコストがかかるという問題がある。
【特許文献１】特開２００１−２０２３１１号公報
【特許文献２】特開２０００−１８１５９６号公報
【特許文献３】特開２００２−３３３３４０号公報
【特許文献４】特開２００２−１０９２５９号公報
【発明の開示】
【発明が解決しようとする課題】
【０００５】
本発明は、上記問題を解決するためになされたものであり、安価な構成で、ユーザがＴＶ番組内で紹介された商品の購入申込を行う手間を軽減させることができるテレビジョン受像機を提供することを目的とする。
【課題を解決するための手段】
【０００６】
上記目的を達成するために請求項１の発明は、テレビジョン番組（以下、ＴＶ番組という）のテレビジョン放送信号（以下、ＴＶ放送信号という）を受信するチューナと、前記チューナによって受信したＴＶ放送信号に含まれる映像信号に基づいたＴＶ番組の映像を表示する表示手段と、ユーザによって操作され、装置に指示を行うための操作手段と、インターネットに接続するためのネットワークインタフェースと、装置各部を制御する制御手段と、前記制御手段を動作させるためのプログラムを記憶するための記憶手段とを備え、前記ネットワークインタフェースを介してインターネットに接続されたテレビジョン受像機において、ＴＶ番組のある時点における映像を静止画として取得する静止画取得手段と、前記静止画取得手段によって取得された静止画に含まれる文字情報を認識する文字情報認識手段と、前記文字情報認識手段によって認識された文字情報を含むウェブサイトをインターネット上から検索するウェブサイト検索手段と、前記ウェブサイト検索手段によって検索されたウェブサイトの情報を解析して、商品の購入申込を行うことができる購入申込ページを検出する購入申込ページ検出手段とをさらに備え、前記操作手段は、ＴＶ番組内で紹介されている商品を購入する旨の指示を装置に対して行うための購入ボタンを有し、前記記憶手段には、ユーザの氏名、住所、及び購入する商品の支払い方法のうちの少なくとも１つの情報が記憶され、前記制御手段は、ＴＶ番組を受信中に、ユーザによって前記購入ボタンが押下されたとき、前記静止画取得手段を用いて、該購入ボタンが押下された時点のＴＶ番組の映像を静止画として取得し、前記文字情報認識手段を用いて、この静止画に含まれる文字情報を認識し、前記ウェブサイト検索手段を用いて、認識された文字情報を含むウェブサイトをインターネット上から検索し、前記購入申込ページ検出手段を用いて、検索されたウェブサイトの情報を解析し、ＴＶ番組の映像に含まれる商品の購入申込を行うことができる購入申込ページを検出し、この検出の結果、上記商品の購入申込を行うことが可能な購入申込ページが検出されたとき、前記記憶手段に記憶された氏名、住所、及び購入する商品の支払い方法のうちの少なくとも１つの情報を用いて、購入申込手続きを行うものである。
【０００７】
請求項２の発明は、請求項１に記載のテレビジョン受像機において、前記ウェブサイト検索手段は、前記文字情報認識手段によって認識された文字情報にＵＲＬ（Ｕｎｉｆｏｒｍ  Ｒｅｓｏｕｒｃｅ  Ｌｏｃａｔｏｒ）が含まれているとき、このＵＲＬに対応するウェブサイトをインターネット上から検索するものである。
【０００８】
請求項３の発明は、請求項２に記載のテレビジョン受像機において、前記制御手段は、前記購入申込ページ検出手段を用いて、ウェブサイトの情報を解析して、前記購入申込ページを検出した結果、前記購入申込ページを検出できないとき、前記記憶手段に、前記文字情報認識手段によって認識された文字情報を記憶させるものである。
【発明の効果】
【０００９】
請求項１の発明によれば、制御手段が、ユーザによって購入ボタンが押下されたとき、ＴＶ番組の映像に含まれる商品の購入申込を行うことができる購入申込ページを検出し、この検出の結果、商品の購入申込を行うことができる購入申込ページが検出されたとき、記憶手段に記憶された氏名、住所、及び購入する商品の支払い方法のうちの少なくとも１つの情報を用いて、購入申込手続きを行う。そのため、ユーザがＴＶ番組内で紹介されている商品の購入申込を行う手間を軽減させることができる。
【００１０】
また、従来の特許文献４の発明と異なり、ＴＶ番組内の静止画内における全ての商品に対して、識別データを付与する必要がないため、安価な構成で商品の購入申込を行う手間を軽減させることができる。また、テレビジョン受像機にブラウザを搭載する必要がないため、安価な構成で商品の購入申込を行うことができる。
【００１１】
請求項２の発明によれば、ウェブサイト検索手段は、ＵＲＬに対応するウェブサイトをインターネット上から検索するので、商品に関するウェブサイトを効率良く検索することができる。
【００１２】
請求項３の発明によれば、制御手段は、購入申込ページを検出できないとき、記憶手段に文字情報認識手段によって認識された文字情報を記憶させる。そのため、購入申込ページを検出できないときであっても、ユーザが商品に関する情報をメモ等する手間を軽減させることができる。
【発明を実施するための最良の形態】
【００１３】
以下、本発明の一実施形態について、図１乃至図３を参照して説明する。図１は、本実施形態に係るテレビジョン受像機（以下、テレビという）２と、テレビ２を操作するためのリモコン（操作部）４とを含むテレビシステム１の外観を示し、図２は、テレビ２の内部構成のブロック図を示し、図３は、リモコン４の外観を示す。テレビ２はＬＡＮケーブル３を介してインターネットに接続されている。
【００１４】
テレビ２は、図２に示すように、テレビジョン番組（以下、ＴＶ番組という）のテレビジョン放送信号（以下、ＴＶ放送信号という）を受信するチューナ２７と、チューナ２７によって受信されたＴＶ放送信号に含まれる映像信号に基づいたＴＶ番組の映像や、各種のメッセージ等を表示するディスプレイ（表示手段）２４と、チューナ２７によって受信されたＴＶ放送信号に含まれる音声信号に基づいたＴＶ番組の音声を出力するスピーカ２３と、装置各部を制御する制御用マイコン（制御手段）２１とを備える。
【００１５】
また、テレビ２は、制御用マイコン２１を動作させるためのプログラムが記憶されたメモリ（記憶手段）２６と、インターネットに接続するためのネットワークインタフェース２５と、リモコン４から送信された赤外線信号を受光し、赤外線信号に含まれるコード信号を制御用マイコン２１へ出力するリモコン信号受信部２２とをさらに備える。
【００１６】
ネットワークインタフェース２５には、ＬＡＮケーブル３が接続されており、テレビ２は、ＬＡＮケーブル３を介してインターネットに接続している。
【００１７】
制御用マイコン２１は、請求項における静止画取得手段、文字情報認識手段、ウェブサイト検索手段、及び購入申込ページ検出手段として機能する。
【００１８】
メモリ２６には、ユーザの氏名、住所、電話番号、及び購入する商品の支払い方法を含む情報が記憶されている。メモリ２６に記憶されている支払い方法には、クレジットカード番号や支払い代金の引き落とし口座番号等の情報が含まれる。また、メモリ２６には、商品に関する店舗や店舗住所、店舗電話番号、店舗ＵＲＬ等をさらに記憶することができる。
【００１９】
リモコン４は、図３に示すように、ディスプレイ２４に表示するＴＶ番組を選択するためのチャンネル選択ボタン４３と、チャンネルを逐次選択するためのチャンネル逐次選択ボタン４９と、テレビ２の電源のオン状態及びオフ状態を指示するための電源ボタン４２とを有する。また、リモコン４は、各種選択を行うための十字キー４４と、各種選択を決定するための決定ボタン４５と、テレビ２のスピーカ２３から出力する音量を指示するための音量ボタン４６と、商品の購入を指示するための購入ボタン４７と、各種操作のキャンセルを指示するためのキャンセルボタン４８と、各操作に対応したコード信号を赤外線信号として送信するためのリモコン信号送信部４１とをさらに有する。
【００２０】
次に、テレビ２におけるＴＶ番組内で紹介された商品の購入申込処理の手順について、図４を参照して説明する。ここでは、ユーザがＴＶ番組を視聴中である時に、ＴＶ番組内に欲しい商品を見つけたものとする。まず、ユーザによってリモコン４の購入ボタン４７が押下されると（Ｓ１）、制御用マイコン２１は、購入ボタン４７が押下された時点にユーザが視聴しているＴＶ番組の映像を静止画（スチール画面）として取込む（Ｓ２）。
【００２１】
そして、制御用マイコン２１は、取込んだ静止画に含まれる文字情報を認識し（Ｓ３）、認識した文字情報の中にＵＲＬが含まれるか否かを判断する（Ｓ４）。認識する文字情報は、商品名、商品を扱う店舗名、店舗の住所、店舗の電話番号、店舗のメールアドレス、店舗のウェブサイトのＵＲＬ等の情報である。
【００２２】
上記Ｓ４の判断の結果、ＵＲＬが含まれる場合（Ｓ５でＹＥＳ）、制御用マイコン２１は、このＵＲＬに対応するウェブサイトをインターネット上から検索する（Ｓ７）。一方、上記Ｓ４の判断の結果、ＵＲＬが含まれない場合（Ｓ５でＮＯ）、制御用マイコン２１は、認識した文字情報を基に、インターネット上から商品に関するウェブサイトを検索する（Ｓ６）。
【００２３】
そして、制御用マイコン２１は、検索したウェブサイトの情報を取得し（Ｓ８）、取得したウェブサイトを解析する（Ｓ９）。そして、解析した情報から、商品の購入申込ページを検出する（Ｓ１０）。具体的には、ウェブサイトを構成するＨＴＭＬやＣＳＳ等のウェブサイトを構成する言語を解析することにより、ウェブサイトの解析を行う。商品の購入申込ページの検出は、「住所」、「氏名」、「支払い方法」に関する入力項目を有するページや、「購入申込」や「申込」などの文字をｔｉｔｌｅに含むページや、「購入申込」や「申込」などの文字のフォント等が大きく強調されているページを検出することにより行う。
【００２４】
上記Ｓ１０による検出の結果、商品の購入申込ページを検出した場合（Ｓ１１でＹＥＳ）、制御用マイコン２１は、ディスプレイ２４に購入確認画面を表示する（Ｓ１２）。そして、ユーザが決定ボタン４５を押下して購入を決定した場合（Ｓ１３でＹＥＳ）、制御用マイコン２１は、メモリ２６に記憶されているユーザの氏名、住所、電話番号、及び支払い方法等の情報を用いて該当商品の購入申込手続きを行い（Ｓ１４）、処理を終了する。しかし、ユーザがキャンセルボタン４８を押下して購入申込をキャンセルした場合、上記Ｓ１４の処理を行わないで、購入申込処理を終了する。
【００２５】
一方、上記Ｓ１０による検出の結果、商品の購入申込ページを検出できなかった場合（Ｓ１１でＮＯ）、制御用マイコン２１は、上記Ｓ３の処理で認識した文字情報、又は上記Ｓ２の処理で取り込まれた（変換された）静止画をメモリ２６に記憶し（Ｓ１５）、処理を終了する。
【００２６】
次に、上述した商品の購入申込処理について、図５及び図６に示す例を用いて説明する。図５は、ユーザによって購入ボタン４７が押下された時点（上記Ｓ１に相当）のＴＶ番組の映像を示し、図６は、ディスプレイ２４に表示された購入確認画面（上記Ｓ１２に相当）を示す。ＴＶ番組の映像がディスプレイ２４に表示されている。
【００２７】
ユーザによって購入ボタン４７が押下されると、制御用マイコン２１は、図５に示すように、商品名（恐竜まんじゅう）５０、店舗名（まんじゅう堂）５１、住所（大阪府○○市・・・）５２、電話番号（０６−★★★★−★★★★）５３、及びＵＲＬ（ｈｔｔｐ：／／ｗｗｗ．★★★★★/★★★）５４の情報を取得する。本例の場合、文字情報にＵＲＬ５４を含むため、制御用マイコン２１は、ＵＲＬ５４に対応するウェブサイトをインターネット上から検索し（上記Ｓ７に相当）、上記Ｓ８以降の処理を行う。
【００２８】
そして、商品の購入申込ページを検出した場合（上記Ｓ１１のＹＥＳに相当）、図６に示すように、商品の購入確認画面６１をディスプレイ２４に表示する（上記Ｓ１２相当）。ユーザが決定ボタン４５を押下して購入を決定した場合（上記Ｓ１３のＹＥＳに相当）、制御用マイコン２１が購入申込手続きを行う（上記Ｓ１４に相当）。
【００２９】
上記のように、本実施形態に係るテレビ２によれば、制御用マイコン２１が、ユーザによって購入ボタン４７が押下されたとき、ＴＶ番組の映像に含まれる商品の購入申込を行うことができる購入申込ページを検出し、この検出の結果、商品の購入申込を行うことができる購入申込ページが検出されたとき、メモリ２６に記憶された氏名、住所、電話番号、及び購入する商品の支払い方法の情報を用いて、該当商品の購入申込手続きを行う。そのため、ユーザがＴＶ番組内で紹介されている商品の購入申込を行う手間を軽減させることができる。
【００３０】
また、従来の特許文献４の発明と異なり、ＴＶ番組内の静止画内における全ての商品に対して、識別データを付与する必要がないため、安価な構成で商品の購入申込を行う手間を軽減させることができる。また、テレビ２にブラウザを搭載する必要がないため、安価な構成で商品の購入申込を行なうことができる。
【００３１】
また、制御用マイコン２１は、ＵＲＬに対応するウェブサイトをインターネット上から検索するので、商品に関するウェブサイトを効率良く検索することができる。また、制御用マイコン２１は、購入申込ページを検出できないとき、認識した文字情報を、又は静止画をメモリ２６に記憶させる。そのため、購入申込ページを検出できないときであっても、ユーザが商品に関する情報をメモ等する手間を軽減させることができる。
【００３２】
なお、本発明は、上記実施形態の構成に限定されるものではなく、発明の趣旨を変更しない範囲で種々の変形が可能である。例えば、上記実施形態に係るテレビ２においては、ＴＶ番組の映像の静止画から文字情報を認識する場合について説明したが、これに限られず、例えば、制御用マイコン２１が、ＴＶ番組の映像の静止画から商品の画像を取得し、この画像を基に、インターネット上からウェブサイトを検索するものであってもよい。
【図面の簡単な説明】
【００３３】
【図１】本発明の一実施形態に係るテレビジョン受像機、及びリモコンを含むテレビシステムの外観を示す斜視図。
【図２】上記テレビジョン受像機の内部構成を示すブロック図。
【図３】上記リモコンの外観を示す図。
【図４】上記テレビジョン受像機おける商品購入申込処理の手順を示すフローチャート。
【図５】上記テレビジョン受像機に表示されるＴＶ番組の映像を示す図。
【図６】上記テレビジョン受像機に表示される商品購入確認画面を示す図。
【符号の説明】
【００３４】
２  テレビジョン受像機
４  リモコン（操作手段）
２１  制御用マイコン（制御手段、静止画取得手段、文字情報認識手段、ウェブサイト検索手段、購入申込ページ検出手段）
２４  ディスプレイ（表示手段）
２５  ネットワークインタフェース
２６  メモリ（記憶手段）
２７  チューナ
４７  購入ボタン
【図１】
2008271196.tif 000003
【図２】
2008271196.tif 000004
【図３】
2008271196.tif 000005
【図４】
2008271196.tif 000006
【図５】
2008271196.tif 000007
【図６】
2008271196.tif 000008